(57)【要約】【課題】  イメージャー毎の感度のばらつきを吸収できるとともに、ガンマ補正による影響を受けずいかなるガンマ補正がかけられても同一手段で標準アンプ量（輝度信号増幅量）を決定することができる撮像装置の輝度信号増幅量調整装置を提供する。【解決手段】  ＣＣＤ等の撮像素子を有したカメラ２によって、制御アンプ量が最小時の輝度信号増幅量にて評価チャート１を撮像した撮影画のデータが導入され、前記導入された撮影画のデータの明るさと、所定の設定輝度との偏差をなくすための制御信号を生成する画像処理装置３を備え、前記生成された制御信号によって前記カメラ２の標準アンプ量を調整する。【選択図】 図１
2006020104.tif 000002
【特許請求の範囲】
【請求項１】
撮像装置によって制御時使用するアンプ量が最小時の輝度信号増幅量にて輝度評価用被写体を撮像した画像データが導入され、
前記導入された画像データの明るさと、所定の設定輝度との偏差をなくすための制御信号を生成する画像処理手段を備え、
前記生成された制御信号によって前記撮像装置の輝度信号増幅量を調整することを特徴とする撮像装置の輝度信号増幅量調整装置。
【請求項２】
前記偏差をなくすための制御信号は、前記輝度信号増幅量の調整により前記偏差がなくなるまでの時間が任意に設定された信号であることを特徴とする請求項１に記載の撮像装置の輝度信号増幅量調整装置。
【発明の詳細な説明】
【技術分野】
【０００１】
本発明は、CCD（Charge Coupled Device）やCMOS（Complementary Metal-Oxide Semiconductor）等の撮像素子（以下、イメージャーと称することもある）を備えた、例えばデジタルカメラ等の撮像装置における、輝度信号増幅量調整装置に関する。
【背景技術】
【０００２】
従来、イメージャー（CCDやCMOS等の撮像素子）により被写体画像を光電変換し、その変換された画像データを処理して被写体画像の映像信号を生成するデジタルカメラにおいては、ユーザーが設定できる輝度信号アンプ量が最小設定時にかかっている標準アンプ量を同じイメージャーを使うときには同じアンプ量を使用していた。このためイメージャーの感度のばらつきが生じていた。
【０００３】
尚、被写体輝度とフィルム感度に基づいて露出を決定するカメラの露出制御装置としては、例えば下記特許文献１に記載のものが提案されている。
【特許文献１】特許第２８６８２７０号公報
【発明の開示】
【発明が解決しようとする課題】
【０００４】
上記のように、前記標準アンプ量を基準となる明るさに設定した後は、その設定された標準アンプ量を用いて輝度信号を増幅していたので、イメージャー間の感度のばらつきにより同じ制御アンプ量を設定しても各々明るさが異なるものとなっていた。
【０００５】
上記方法ではＣＣＤのQs(飽和信号量)で見ているためガンマ補正カーブによる明るさの差は確認できないが、ガンマ補正カーブが変わると通常の撮影画では明るさに差が出ることが確認できる。
【０００６】
またガンマ補正がかかったあとの画をカメラ内部で評価できないカメラでは、カメラ独自では評価が行えないので、標準アンプ量を調整することはできなかった。これに対してイメージャーからの出力値をそのまま評価して制御しているカメラでは、その評価値から標準アンプ量を変えてもガンマがかかった実際の画でどう影響するのかは確認できないものであった。
【０００７】
本発明は上記の点に鑑みてなされたものでその目的は、イメージャー毎の感度のばらつきを吸収できるとともに、ガンマ補正による影響を受けずいかなるガンマ補正がかけられても同一手段で標準アンプ量を決定することができる撮像装置の輝度信号増幅量調整装置を提供することにある。
【課題を解決するための手段】
【０００８】
上記課題を解決するための本発明の撮像装置の輝度信号増幅量調整装置は、撮像装置によって制御時使用するアンプ量が最小時の輝度信号増幅量にて輝度評価用被写体を撮像した画像データが導入され、前記導入された画像データの明るさと、所定の設定輝度との偏差をなくすための制御信号を生成する画像処理手段を備え、前記生成された制御信号によって前記撮像装置の輝度信号増幅量を調整することを特徴としている。
【０００９】
また前記偏差をなくすための制御信号は、前記輝度信号増幅量の調整により前記偏差がなくなるまでの時間が任意に設定された信号であることを特徴としている。
【００１０】
具体的には、前記輝度評価用被写体を撮像した画像の明るさが、前記設定輝度（目標輝度）より小の場合は輝度信号増幅量を大とし、前記設定輝度より大の場合は輝度信号増幅量を小とする制御信号を生成し、該制御信号によって撮像装置の輝度信号増幅量を調整する。
【発明の効果】
【００１１】
（１）従来、同じ仕様のイメージャーで同じ標準アンプ量を使用しているとイメージャー毎の感度のばらつきによりイメージャー毎感度がばらついていた。しかし本発明によって標準アンプ量調整を行うことでイメージャー毎の感度のばらつきが吸収でき、同じ制御値にしたときの感度のばらつきが少なくなる。
（２）ガンマ補正前のイメージャーの出力値で評価している撮像装置においても、ガンマ補正後の画が目標の輝度信号レベル（Y level）となるように標準アンプ量のパラメータを自動で調整できる。ガンマ補正後で評価している撮像装置でも同様な手段で調整することができる。
（３）撮影後の画で評価しているのでいかなるガンマ補正を使用していても同じ手段で評価するため、ガンマ補正による影響は受けない。これによりどんなガンマ補正がかけられても同じ手段で標準アンプ量を決めることができる。
（４）標準アンプ量の目標値（設定輝度）は自由に設定できる。有限責任中間法人カメラ映像機器工業会(CIPA)が掲げている測定環境を整えて目標値もそれに沿って設定すれば、例えばCIPAの基準とする明るさの指標に標準アンプ量を設定することができる。
（５）また請求項２に記載の発明によれば、標準アンプ量の目標値（設定輝度）に対する自由度を持たせることができ、これによって追い込み精度と速度を管理することができる。
（６）ＣＡＰ画面で見ているためカメラ間でのメカシャッタの精度ばらつきも込みで補正することができる。
【発明を実施するための最良の形態】
【００１２】
以下、図面を参照しながら本発明の実施の形態について説明する。図１は本実施形態例の全体構成を示しており、１は輝度評価用被写体としての評価チャートである。２は標準アンプ量（輝度信号増幅量）を調整しようとするカメラであり、例えば図２のように構成されている。
【００１３】
３は、カメラ２で評価チャート１を撮影した撮影画像を取り込み、カメラ２の標準アンプ量調整用の制御信号を生成する画像処理装置である。この画像処理装置３は、例えばパソコンで構成され、図２に示すようにカメラのマイコン２７との間で信号の授受が行われる。
【００１４】
図２において、２１は撮像レンズであり、光源からの入射光及び撮像被写体からの反射光を集光する。２２はアイリスであり、駆動回路２３ａにより被写体照度に応じて絞りを調整し、上記レンズ２１を通過した光の量（光量）、すなわち露出を決定する。２４はＣＣＤやＣＭＯＳなどから成る撮像素子であり、駆動回路２３ｂにより上記アイリス２２を通過した光信号に光電変換処理を施し、電荷信号として後段に出力する。
【００１５】
なお、上記撮像素子２４は、光量を蓄積する時間（電荷の蓄積時間）を制御する電子シャッタとしての機能を有している。
【００１６】
２５は、撮像素子２４から出力されたアナログの電荷信号をサンプリング（標本化）後に一定値にホールド（保持）するサンプルホールド（Ｓ／Ｈ；Ｓａｍｐｌｅ  Ｈｏｌｄ）部である。このサンプルホールド部２５は駆動回路２３ｃによって駆動制御される。
【００１７】
２６は、サンプルホールド部２５の出力信号が導入されるカメラ信号処理回路であり、その入力側には、アナログからデジタルへの変換を行うＡ／Ｄ変換部（図示省略）を有している。
【００１８】
このカメラ信号処理回路２６は、前記デジタル信号に変換された撮像被写体信号に対し、マイコン２７からの制御信号に従って、AE（Automatic Exposure：自動露出）、AF（Auto Focus：自動焦点）、AWB（Auto White Balance：オートホワイトバランス）等のカメラ制御処理を施し、被写体の映像信号（輝度信号及び色差信号）を生成する。２８は入力された光量を測定する検波回路である。
【００１９】
図２のカメラ２において、入力光量は次の３つで変えることができる。すなわち、絞り（アイリス２２）の大きさを変える、撮像素子２４で光量をためる時間を変える（電子シャッタ）、サンプルホールド部２５で得た輝度信号をアンプすることにより変えることができる。そして検波回路２８で光量を測定し、マイコン２７によって必要な光量となるように前記絞り、電子シャッタ、サンプルホールド部２５の信号アンプ量を調節することができる。
【００２０】
上記のように構成された装置において、ユーザーが設定できる輝度信号のアンプ量を最小時に設定した時の輝度信号のアンプ量を標準アンプ量とする。そして図３（ａ），（ｂ）に示す、下記の手順で画の取得、評価および標準アンプ量の自動変更を行う。
【００２１】
尚図３（ａ）のステップＳ1〜Ｓ6は全体の処理の流れを示し、図３（ｂ）は図３（ａ）のステップＳ4、すなわち画像処理装置３で行われる処理の詳細を示している。
【００２２】
ステップＳ1〜Ｓ3において、
Ａ）一様な無色の評価チャート１を用意する。  
【００２３】
Ｂ）明るさは、調整に使用するカメラ2の露出が追従可能な範囲にする。  
【００２４】
Ｃ）調整したいカメラ２を用意し、評価チャート１を写す。  
【００２５】
Ｄ）制御のアンプ量がかかっていない状態で、イメージャー（撮像素子２４）出力にかかっているアンプ量は標準アンプ量のみとなる。この状態でアンプ以外の明るさを制御できるデバイス(代表としてアイリス２２、電子シャッタ（撮像素子２４）とする)により明るさを追従させる。  
【００２６】
Ｅ）前記Ｄ）の状態でアイリス２２および電子シャッタを固定にする。  
【００２７】
Ｆ）標準アンプ量を設定し撮影する。
【００２８】
次にステップＳ4（Ｓ41〜Ｓ49）において、
Ｇ）撮影画像を画像処理装置(PC)３に取り込む。  
【００２９】
Ｈ）取り込んだ画像で評価する部分の画の明るさを測定しY Levelで表記する（ステップＳ42）。  
【００３０】
Ｉ）目標の明るさに対し過不足（偏差）を算出する（ステップＳ43）。  
【００３１】
Ｊ）過不足が閾値以内なら調整フラグ１を立てて調整は終了する（ステップＳ44〜Ｓ46）。  
【００３２】
Ｋ）前記Ｊ）の条件（ステップＳ44の判定条件）を満たさない場合次の操作をする。すなわち明るさが不足なら標準アンプ量を高くし、明るさが過剰であれば標準アンプ量を低くする（ステップＳ47〜Ｓ49）。  
【００３３】
Ｌ）前記Ｆ）に戻る。
【００３４】
前記Ａ)→Ｊ)まで一通り行い調整した結果、画の明るさが条件Ｊ)を満たしていないのであれば、Ｊ)〜Ｌ)→Ｆ)〜Ｊ)の順で標準アンプ量を設定し直し一度Ｅ）に戻り再び撮影し評価を行う。
【００３５】
前記条件Ｊ)を満たすまで、前記Ｊ)→Ｌ)→Ｆ)→Ｊ)の手順を繰り返す。このとき目標値に対する閾値をどれくらいの幅で設けるかと、目標の明るさに対し明るさの過不足をどれくらいの割合で標準アンプ量に還元するかで収束する時間と精度をコントロールすることができる。
【００３６】
また明るさの目標値も自由に設定できるので、有限責任中間法人カメラ映像機器工業会(CIPA)で紹介しているような明るさを目標値に設定すれば、CIPAが示す基準となる明るさを標準アンプ量に調整することもできる。
【００３７】
上記の手順は、出力された画像で評価しているので、イメージャーの出力値にガンマ補正がかかっている・いない状態で評価しているカメラにかかわらず、ガンマ補正後で評価することになり、どんなカメラでも同じ手段で評価することができる。
【００３８】
以上により、従来固定であった標準アンプ量が原因で、同じ仕様のイメージャーを使用しているカメラ間で感度がばらついていた問題を少なくすることができる。
【図面の簡単な説明】
【００３９】
【図１】本発明の一実施形態例の全体構成図。
【図２】本発明で使用するカメラの構成図。
【図３】本発明の一実施形態例の処理手順を表し、（ａ）は全体のフローチャート、（ｂ）は画像処理装置３で行われる処理のフローチャート。
【符号の説明】
【００４０】
１…評価チャート、２…カメラ、３…画像処理装置、２１…撮像レンズ、２２…アイリス、２３ａ〜２３ｃ…駆動回路、２４…撮像素子、２５…サンプルホールド部、２６…カメラ信号処理回路、２７…マイコン、２８…検波回路。
【図１】
2006020104.tif 000003
【図２】
2006020104.tif 000004
【図３】
2006020104.tif 000005